(57)【要約】【課題】アース線を必要な長さに分岐する作業及びアース箇所に接続する作業が簡単且つ容易に容易に行え、作業性の向上を図ることができるアース線付き電線を提供する。【解決手段】アース線付き電線１を構成するアース線３の分岐側始端部を手で保持して外部絶縁材４の外側に引っ張り出すとともに、アース線３の分岐側に被覆された外部絶縁材４ａを該アース線３に沿って剥ぎ取り分離して、アース線３を必要に応じて適切な長さだけ引き出した後、アース線付き電線１から分岐したアース線３の端部を、所定のアース箇所に接続する。また、アース線３の引き出し寸法と対応する長さだけ引き剥がした外部絶縁材４を、アース線３の分岐側終端部と対応する部分で引き千切るか切除する等して分離する。【選択図】  図２
2006331654.tif 000002
【特許請求の範囲】
【請求項１】
電力供給用の芯線を絶縁材により被覆してなる複数の各導線に沿って、アース用の芯線を絶縁材により被覆してなるアース線を配置するとともに、該各導線及びアース線の外面を合成樹脂製の外部絶縁材により一体的に被覆してなるアース線付き電線であって、
上記アース線側に被覆された外部絶縁材を、該アース線に沿って長さ方向に対して剥ぎ取り可能に形成した
アース線付き電線。
【請求項２】
上記アース線側に被覆された外部絶縁材に、該外部絶縁材の剥ぎ取りが許容される凹部をアース線に沿って複数条形成した
請求項１に記載のアース線付き電線。
【請求項３】
上記複数の凹部を、上記アース線の芯部を中心として該アース線側に被覆された外部絶縁材の対称位置に形成した
請求項２に記載のアース線付き電線。
【請求項４】
上記アース線の分岐側始端部を、上記外部絶縁材の外方に向けて引っ張りが許容される長さ突出した
請求項１乃至３のいずれか一つに記載のアース線付き電線。
【請求項５】
上記アース線側に被覆された外部絶縁材に、該アース線と略交差する方向に対して上記外部絶縁材の剥ぎ取りが許容される切込みを形成するとともに、該切込みを外部絶縁材の長さ方向に対して所定又は任意の間隔に隔てて複数形成した
請求項１乃至４のいずれか一つに記載のアース線付き電線。
【請求項６】
上記アース線を、該アース線であることを視覚的に認識することができる色に着色した
請求項１乃至５のいずれか一つに記載のアース線付き電線。
【請求項７】
上記アース線側に被覆された外部絶縁材を、該アース線の存在を視覚的に認識することができる色に着色した
請求項１乃至６のいずれか一つに記載のアース線付き電線。
【発明の詳細な説明】
【技術分野】
【０００１】
この発明は、例えば電力供給、各機器の接続、電気信号の送信等に用いられるアース線付き電線に関する。
【背景技術】
【０００２】
従来、上述のような電力供給用のケーブルとしては、例えば複数の電力用導線とアース用導線とを並列して外部被覆材で被覆するとともに、電力用導線とアース用導線との間に被覆された外部被覆材の肉厚が薄くなるように断面８字状に形成して、電力用導線とアース用導線とに引き裂いて分離する特許文献１の絶縁電線があるが、アース用導線を電力用導線から分離してから、アース用導線の導体に被覆された外部被覆材をカッター等で切れ目を入れて剥ぎ取らなければならず、導体及び絶縁被覆材を損傷させないように剥ぎ取るのに熟練を要するため、外部被覆材の剥ぎ取り作業に手間及び時間が掛かる。
【０００３】
また、並列配置した一対の各導線の間にアース線を配置し、各導線を絶縁材で被覆してなる各第１ケーブルと、アース線を絶縁材で被覆してなる第２ケーブルとの接合部分をカッタで切り離し、各第１ケーブルと第２ケーブルとに分離する特許文献２の溶接機用給電ケーブルがあるが、特許文献２の溶接機用給電ケーブルは、アース線が内蔵された第２ケーブルを各第１ケーブルの間から分離すると、ケーブル全体の本数が３本に増えるため、第２ケーブルをアース箇所に接続する際に、２本の各第１ケーブルが作業の邪魔になりやすく、各第１ケーブルを１本に束ねた状態でアースの接続作業を行わなければならない。
【０００４】
また、外部絶縁材で被覆された一対の各導線に沿って、絶縁材で被覆されたアース線をベルト状の止め具で固定する方法もあるが、アース線を、一対の各導線に沿って止め具で固定する作業と、止め具による固定を解除して分岐する作業とに手間及び時間が掛かる。
【特許文献１】実開平７−１４５１３号公報
【特許文献２】特開平１０−２４９５４４号公報
【発明の開示】
【発明が解決しようとする課題】
【０００５】
この発明は上記問題に鑑み、アース線を外部絶縁材の外側に引っ張り出すときに、アース線の分岐側に被覆された外部絶縁材を該アース線に沿って剥ぎ取り分離することにより、アース線を必要な長さに分岐する作業及びアース箇所に接続する作業が簡単且つ容易に容易に行え、作業性の向上を図ることができるアース線付き電線の提供を目的とする。
【課題を解決するための手段】
【０００６】
請求項１に記載した発明のアース線付き電線は、電力供給用の芯線を絶縁材により被覆してなる複数の各導線に沿って、アース用の芯線を絶縁材により被覆してなるアース線を配置するとともに、該各導線及びアース線の外面を合成樹脂製の外部絶縁材により一体的に被覆してなるアース線付き電線であって、上記アース線側に被覆された外部絶縁材を、該アース線に沿って長さ方向に対して剥ぎ取り可能に形成したことを特徴とする。
【０００７】
この発明によると、アース線を外部絶縁材の外側に引っ張り出すとともに、アース線の分岐側に被覆された外部絶縁材を該アース線に沿って剥ぎ取り、アース線の引き出し寸法と対応する長さだけ引き剥がした外部絶縁材を、アース線の分岐側終端部と対応する部分で引き千切るか、切断具で切除する等して分離した後、アース線付き電線から分岐したアース線の端部を、所定のアース箇所に接続する。また、外部絶縁材を、アース線の引き出し寸法と対応する長さだけ剥ぎ取ってから、アース線を必要な長さだけ分岐することもできる。
【０００８】
上記アース線付き電線の電線とは、例えば比較的線径が太いケーブルと、比較的線径が細いコードとを含むものであり、電線の線径や断面形状が限定されるものではない。また、導線及びアース線の各芯線は、例えば銅、金等の導電性を有する金属で構成することができる。また、絶縁材及び外部絶縁材は、例えばエチレン酢酸ビニル共重合体（ＥＶＡ）、ポリエチレンテレフタレート（ＰＥＴ）、ポリ塩化ビニル（ＰＶＣ）、ポリプロピレン（ＰＰ）ポリエチレン、ポリオレフィン系エラストマー、エチレンプロピレンゴム、塩素化ポリエチレンゴム、クロロスルフォン化ポリエチレンゴム等の絶縁性及び柔軟性、耐熱性、耐水性を有する単一又は複合した合成樹脂で構成することができる。また、導線の代わりに、例えば同軸ケーブル、光通信ケーブル等で構成することもできる。
【０００９】
請求項２に記載した発明のアース線付き電線は、上記請求項１に記載の構成と併せて、上記アース線側に被覆された外部絶縁材に、該外部絶縁材の剥ぎ取りが許容される凹部をアース線に沿って複数条形成したことを特徴とする。
【００１０】
この発明によると、アース線を外部絶縁材の外側に引っ張り出しながら、アース線の分岐側に被覆された外部絶縁材を凹部に沿って剥ぎ取り分離する。
【００１１】
上記凹部は、例えば溝部、ミシン目、凹状の罫線等で構成したり、外部絶縁材の一部を手で剥ぎ取り可能な肉厚に形成してもよい。また、凹部は、例えばアース線に沿って外部絶縁材の長さ方向に対して連続して形成するか、所定等間隔又は任意間隔に隔てて部分的に形成することができる。
【００１２】
請求項３に記載した発明のアース線付き電線は、上記請求項２に記載の構成と併せて、上記複数の凹部を、上記アース線の芯部を中心として該アース線側に被覆された外部絶縁材の対称位置に形成したことを特徴とする。
【００１３】
この発明によると、例えば２条、３条等の複数条の凹部を、アース線の芯部を中心として、該アース線側に被覆された外部絶縁材の上下対称位置に形成すれば、アース線を引っ張り出すときに、アース線側に被覆された外部絶縁材が上下対称位置に形成した各凹部に沿って剥ぎ取り分離される。また、凹部を、外部絶縁材の左右方向、斜め方向等の対称位置に形成してもよい。
【００１４】
請求項４に記載した発明のアース線付き電線は、上記請求項１乃至３のいずれか一つに記載の構成と併せて、上記アース線の分岐側始端部を、上記外部絶縁材の外方に向けて引っ張りが許容される長さ突出したことを特徴とする。
【００１５】
この発明によると、外部絶縁材の外面に突出するアース線の分岐側始端部を手で引っ張り出せば、アース線側に被覆された外部絶縁材を剥ぎ取り分離することができる。
【００１６】
請求項５に記載した発明のアース線付き電線は、上記請求項１乃至４のいずれか一つに記載の構成と併せて、上記アース線側に被覆された外部絶縁材に、該アース線と略交差する方向に対して上記外部絶縁材の剥ぎ取りが許容される切込みを形成するとともに、該切込みを外部絶縁材の長さ方向に対して所定又は任意の間隔に隔てて複数形成したことを特徴とする。
【００１７】
この発明によると、アース線を外部絶縁材の外側に引っ張り出しながら、アース線側に被覆された外部絶縁材を該アース線に沿って剥ぎ取るとともに、外部絶縁材を、アース線の分岐側終端部と対応する部分に形成した切込みに沿って引き裂いて分離する。或いは、外部絶縁材を、アース線の分岐側終端部と対応する部分に形成した切込みに沿って先に引き裂いてから、外部絶縁材をアース線に沿って剥ぎ取り分離してもよい。なお、切込みは、例えばアース線と略直交方向、略斜め方向等の交差する方向に形成してもよい。
【００１８】
請求項６に記載した発明のアース線付き電線は、上記請求項１乃至５のいずれか一つに記載の構成と併せて、上記アース線を、該アース線であることを視覚的に認識することができる色に着色したことを特徴とする。
【００１９】
この発明によると、導線側に被覆された外部絶縁材と異なる色に、アース線に被覆された絶縁材自体又は外面を、例えば緑色、黄色、黄緑色、その他の色等の単色又は複数を組み合わせた色に着色すれば、アース線を外部絶縁材の中から引き出したとき、導線側に被覆された外部絶縁材と異なる色であるため、アース線であることを視覚的に即認識することができる。
【００２０】
請求項７に記載した発明のアース線付き電線は、上記請求項１乃至６のいずれか一つに記載の構成と併せて、上記アース線側に被覆された外部絶縁材を、該アース線の存在を視覚的に認識することができる色に着色したことを特徴とする。
【００２１】
この発明によると、導線側に被覆された外部絶縁材と異なる色に、アース線側に被覆された外部絶縁材自体又は外面を、上記のような単色又は複数を組み合わせた色に着色すれば、アース線を外部絶縁材の中から引き出さなくても、アース線の存在及び配置を外部から視覚的に認識することができる。
【発明の効果】
【００２２】
この発明によれば、アース線付き電線のアース線を外部絶縁材の外側に引っ張り出すときに、アース線の分岐側に被覆された外部絶縁材を該アース線に沿って剥ぎ取り分離するので、アース線の導体及び絶縁材を損傷させる心配がなく、アース線側の外部絶縁材を切除具等で切除するような手間及び作業が省け、アース線を必要に応じて適切な長さに分岐する作業が容易に行える。また、アース線を各導線から分岐したとき、複数の各導線が外部絶縁材により一体的に覆われているため、ケーブル全体の本数が２本以上に増えることがなく、アース線の接続作業が妨げられないように、各導線を１本に束ねたまま取り扱うことができ、アース線をアース箇所に接続する作業が簡単且つ容易に行える。
【発明を実施するための最良の形態】
【００２３】
この発明は、アース線を必要な長さに分岐する作業及びアース箇所に接続する作業が簡単且つ容易に容易に行えるという目的を、アース線側に被覆された外部絶縁材を、該アース線に沿って長さ方向に対して剥ぎ取り可能に形成することで達成した。
【実施例】
【００２４】
この発明の一実施例を以下図面に基づいて詳述する。  
図面は、一対の各導線とアース線とを外部絶縁材により被覆してなるアース線付き電線を示し、図１及び図２に於いて、このアース線付き電線１は、電力供給用の芯線２ａを絶縁材２ｂにより被覆してなる一対（２本１組）の各導線２，２を並列配置し、左側又は右側のいずれか一方に配置された導線２に沿って、アース用の芯線３ａを絶縁材３ｂにより被覆してなるアース線３を並列配置するとともに、各導線２，２及びアース線３の外面全長を、後述する合成樹脂製の外部絶縁材４により一体的に被覆して構成している。
【００２５】
なお、上記芯線２ａ，３ａは、例えば線条の導体を複数本束ねたもの、棒状の導体等で構成される。また、絶縁材２ｂ，３ｂ及び外部絶縁材４は、例えばエチレン酢酸ビニル共重合体（ＥＶＡ）、ポリエチレンテレフタレート（ＰＥＴ）、ポリ塩化ビニル（ＰＶＣ）、ポリプロピレン（ＰＰ）、ポリエチレン、ポリオレフィン系エラストマー、エチレンプロピレンゴム、塩素化ポリエチレンゴム、クロロスルフォン化ポリエチレンゴム等の絶縁性及び柔軟性、耐熱性、耐水性を有する単一又は複合した合成樹脂で構成される。
【００２６】
また、アース線３側に被覆された外部絶縁材４の上下外面には、端面側から見て断面形状が略Ｖ字状の各溝部５ａ，５ａを、アース線３の芯部を中心として上下対称位置に形成するとともに、アース線３に沿って外部絶縁材４の上下外面に対して長さ方向に連続して形成している。
【００２７】
各溝部５ａ，５ａは、外部絶縁材４をアース線３に沿って剥ぎ取ることができるか、引き裂くことができる深さ及び形状に形成するとともに、各溝部５ａ，５ａの谷部とアース線３の絶縁材３ｂとの間に被覆された外部絶縁材４の肉厚を、手で引き裂くことが可能な厚みに形成している。
【００２８】
なお、溝部５ａを、例えば略Ｕ字状、略凹字状等の略Ｖ字状以外の断面形状に形成するか、外部絶縁材４の長さ方向に対して任意間隔又は所定等間隔に隔てて部分的に形成してもよい。実施例では、凹部を、溝部５ａで構成しているが、例えばミシン目、凹状の罫線等で構成したり、外部絶縁材４の一部又は複数の部分を手で剥ぎ取り可能な肉厚に形成する等してもよい。
【００２９】
また、各導線２，２及びアース線３の全体に被覆された外部絶縁材４と、各導線２，２に被覆された各絶縁材２ｂ，２ａと、アース線３に被覆された絶縁材３ｂとを、例えば一対の各導線２，２側と、個々の各導線２，２と、アース線３とに視覚的に認識又は見分けることができる色に着色している。
【００３０】
実施例では、各導線２，２及びアース線３の全体に被覆された外部絶縁材４を灰色に着色し、各導線２，２に被覆された各絶縁材２ｂ，２ａを白色と黒色とにそれぞれ着色し、アース線３に被覆された絶縁材３ｂを緑色に着色しているが、例えば緑色、黄色、黄緑色等の単色又は複数色を組み合わせた色に着色してもよく、各導線２，２及び及びアース線３を外部絶縁材４の中から引き出したとき、各導線２，２及びアース線３を、各導線２，２に被覆された各絶縁材２ｂ，２ａと、アース線３に被覆された絶縁材３ｂとに着色された色により視覚的に認識又は見分けることができる。
【００３１】
また、各導線２，２及びアース線３の全体に被覆された外部絶縁材４と、各導線２，２に被覆された各絶縁材２ｂ，２ａと、アース線３に被覆された絶縁材３ｂとを視覚的に見分けることが可能であれば、上記以外の任意の色に変更してもよい。
【００３２】
なお、各導線２，２及びアース線３の全体に被覆された外部絶縁材４と、各導線２，２に被覆された各絶縁材２ｂ，２ａの外面と、アース線３に被覆された絶縁材３ｂの外面とを、上記のような視覚的に認識することができる色に着色してもよい。
【００３３】
また、アース線３に被覆された絶縁材３ｂのみを、各導線２，２及びアース線３の全体に被覆された外部絶縁材４と、各導線２，２に被覆された各絶縁材２ｂ，２ａとの見分けが容易に行えるような色に着色してもよい。
【００３４】
図３は、上記アース線付き電線１を、２相式の差込プラグ６とコネクタ７との接続に用いた例を示し、各導線２，２の一端を電力供給用の差込プラグ６に接続し、各導線２，２の他端を機器接続用のコネクタ７に接続している。また、コネクタ７には、アース線７ａを接続している。
【００３５】
且つ、アース線３の分岐側始端部は、外部絶縁材４で被覆することなく差込プラグ６側部に引き出されるともに、外部絶縁材４の外方に向けて手による引っ張りが許容されるように予め所定長さだけ突出している。また、アース線３の他端は機器接続用のコネクタ７に接続している。なお、上記２相式の差込プラグ６を、３相式のプラグで構成してもよく、また、コネクタ７を、２相式又は３相式のプラグで構成してもよい。
【００３６】
また、図４に示すように、アース線３の一端を差込プラグ６に接続し、アース線３の他端を、手による引っ張りが許容されるようにコネクタ７側部に予め突出しておいてもよい。また、図５に示すように、アース線３の両端を、手による引っ張りが許容されるように差込プラグ６側部及びコネクタ７側部にそれぞれ突出しておいてもよい。
【００３７】
図６は、上記アース線付き電線１を、２相式の差込プラグ６と３相式の受けプラグ８との接続に用いた例を示し、アース線３の一端を、手による引っ張りが許容されるように差込プラグ６側部に予め突出し、アース線３の他端を３相式の受けプラグ８に接続している。また、アース線３の他端を、手による引っ張りが許容されるように受けプラグ８側部に予め突出しておくか、アース線３の両端を、差込プラグ６，８側部にそれぞれ突出しておいてもよい。
【００３８】
なお、実施例では、アース線３に被覆された絶縁材３ｂを、アース線３であることを視覚的に認識することができる単色又は複数を組み合わせた色に着色しているが、各導線２，２側に被覆された外部絶縁材４と、アース線３側に被覆された外部絶縁材４とを、各導線２，２及びアース線３の存在を外部から視覚的に認識することができる色に着色してもよい。
【００３９】
例えば各導線２，２側に被覆された外部絶縁材４を灰色に着色し、アース線３側に被覆された外部絶縁材４を緑色に着色すれば、アース線３を外部絶縁材４の中から引き出さなくても、各導線２，２及びアース線３の存在を外部絶縁材４に着色された色により視覚的に認識又は見分けることができ、アース線３が所望する側に配置されるようにアース線３付きケーブル１を配線する作業が簡単且つ容易に行え、作業性が向上する。
【００４０】
また、アース線３の存在を示すような文字、記号等の識別表示を、アース線３に被覆された絶縁材３ｂの外面又はアース線３側に被覆された外部絶縁材４の外面に付設するか、上記色と併用して付設することもできる。
【００４１】
図示実施例は上記の如く構成するものにして、以下、アース線付き電線１のアース線３を、所定のアース箇所に接続する方法を説明する。
【００４２】
先ず、図２、図３に示すように、差込プラグ６に接続された各導線２，２を一方の手で保持し、差込プラグ６側部に突出するアース線３の分岐側始端部を他方の手で保持して、各導線２，２側とアース線３側とを互いに分岐される方向に、アース線３の端部を手で牽引する。
【００４３】
且つ、アース線３を、外部絶縁材４の外側に引っ張り出すとともに、アース線３を引っ張り出すときの牽引力により、アース線３の分岐側に被覆された外部絶縁材４ａを上下の各溝部５ａ，５ａに沿って長さ方向に剥ぎ取り、アース線３の引き出し寸法と対応する長さだけ引き剥がした外部絶縁材４を、アース線３の分岐側終端部と対応する部分で引き千切るか、切断具で切除する等して分離し、廃棄処分する。
【００４４】
次に、外部絶縁材４をアース線３の引き出し寸法と対応する長さだけ剥ぎ取り分離して、アース線付き電線１から必要な長さだけ分岐したアース線３の端部は、図示省略する所定のアース箇所に接続する。また、外部絶縁材４を、アース線３の引き出し寸法と対応する長さだけ剥ぎ取り分離してから、アース線３を必要な長さだけ分岐することもできる。
【００４５】
以上のように、アース線付き電線１を構成するアース線３の分岐側始端部を手で保持して外部絶縁材４の外側に引っ張り出すとともに、アース線３の分岐側に被覆された外部絶縁材４ａを上下の各溝部５ａ，５ａに沿って剥ぎ取り分離するので、アース線３側の外部絶縁材４ａを切除具等で切除するような手間及び作業が省け、アース線３を必要に応じて適切な長さに分岐する作業が容易に行える。また、アース線３を２本の各導線２，２から分岐したとき、２本の各導線２，２が外部絶縁材４により一体的に覆われているため、ケーブル１全体の本数が２本以上に増えることがなく、アース線３の接続作業が妨げられないように、各導線２，２を１本に束ねたまま取り扱うことができ、アース線３をアース箇所に接続する作業が簡単且つ容易に行える。
【００４６】
また、各導線２，２及びアース線３の全体に被覆された外部絶縁材４を灰色に着色し、各導線２，２に被覆された各絶縁材２ｂ，２ａを白色と黒色とにそれぞれ着色し、アース線３に被覆された絶縁材３ｂを緑色に着色しているので、各導線２，２及び及びアース線３を外部絶縁材４の中から引き出したとき、各導線２，２及びアース線３を、各導線２，２に被覆された各絶縁材２ｂ，２ａと、アース線３に被覆された絶縁材３ｂとに着色された色により視覚的に認識又は見分けることができ、各導線２，２を差込プラグ６及びコネクタ７に接続する作業と、アース線３をアース箇所に接続する作業とが正確に行える。
【００４７】
図７は、アース線３側に被覆された外部絶縁材４を、アース線３の引き出し寸法と対応する長さだけ剥ぎ取ることができるアース付きケーブル１の他の例を示し、アース線３側に被覆された外部絶縁材４に、該アース線３と略直交する方向に対して外部絶縁材４を引き裂くことができる切込み５ｂを形成するとともに、各切込み５ｂ…を、外部絶縁材４の長さ方向に対して所定等間隔に隔てて複数形成している。
【００４８】
つまり、アース線３を、外部絶縁材４の外側に引っ張り出すとともに、アース線３の分岐側に被覆された外部絶縁材４ａを各溝部５ａ，５ａに沿って長さ方向に剥ぎ取り、外部絶縁材４ａを、アース線３の分岐側終端部と対応する部分に形成した切込み５ｂに沿って引き裂いて分離するので、上記実施例と同等の作用及び効果を奏することができるとともに、外部絶縁材４が必要以上に剥ぎ取られる心配がなく、アース線３側に被覆された外部絶縁材４を、該アース線３の引き出し寸法と対応する長さだけ正確且つ確実に剥ぎ取り分離することができる。
【００４９】
或いは、外部絶縁材４を、アース線３の分岐側終端部と対応する部分に形成した切込み５ｂに沿って先に引き裂いてから、外部絶縁材４ａをアース線３に沿って剥ぎ取り分離して、アース線３を必要とする長さだけ引き出すこともできる。なお、切込み５ｂは、例えばアース線３に対して略斜め方向に交差して形成してもよい。
【００５０】
なお、切込み５ｂは、上記溝部５ａと略同一の深さ及び形状に形成するか、或いは、ミシン目、凹状の罫線等で構成してもよい。また、切込み５ｂを、外部絶縁材４の長さ方向に対して任意間隔に隔てて形成してもよい。
【００５１】
図８、図９は、アース線３を、並列配置した各導線２，２の谷部又は隙間部に近接又は沿って配線したアース付きケーブル１の他の例を示し、アース線３を、外部絶縁材４の外側に引っ張り出すとともに、アース線３の分岐側に被覆された外部絶縁材４ａを、アース線３を中心として外部絶縁材４の左右対称位置に形成した各溝部５ａ，５ａに沿って剥ぎ取り分離するので、上記実施例と同等の作用及び効果を奏することができる。また、アース線３は、集束配置した複数本の各導線２…に近接又は沿って配線してもよい。
【００５２】
この発明の構成と、上述の実施例との対応において、  
この発明の凹部は、実施例の溝部５ａに対応するも、  
この発明は、上述の実施例の構成のみに限定されるものではなく、請求項に示される技術思想に基づいて応用することができ、多くの実施の形態を得ることができる。また、アース線付き電線１の電線とは、比較的線径が太いケーブルと、比較的線径が細いコードとを含んでいるが、実施例のような電線の線径や断面形状に限定されるものではなく、ケーブル及びコード以外の電線で構成することもできる。
【産業上の利用可能性】
【００５３】
本発明のアース線付き電線の構成は、例えば同軸ケーブル、光通信ケーブル等の単数又は複数のケーブルに沿ってアース線を配線するときにも利用することができる。
【図面の簡単な説明】
【００５４】
【図１】アース線付き電線の内部構造を示す断面斜視図。
【図２】アース線の引き出し状態を示す断面斜視図。
【図３】アース線をプラグ側部に突出した例を示す平面図。
【図４】アース線をコネクタ側部に突出した例を示す平面図。
【図５】アース線をプラグ及びコネクタの側部に突出した例を示す平面図。
【図６】アース線を各プラグ側部に突出した例を示す平面図。
【図７】外部絶縁材を切込みに沿って分離する他の例を示す拡大平面図。
【図８】アース線を各導線に近接して配置した他の例を示す断面斜視図。
【図９】図８のアース線の引き出し状態を示す断面斜視図。
【符号の説明】
【００５５】
１…アース線付き電線
２…導線
３…アース線
４…外部絶縁材
５ａ…溝部
５ｂ…切込み
【図１】
2006331654.tif 000003
【図２】
2006331654.tif 000004
【図３】
2006331654.tif 000005
【図４】
2006331654.tif 000006
【図５】
2006331654.tif 000007
【図６】
2006331654.tif 000008
【図７】
2006331654.tif 000009
【図８】
2006331654.tif 000010
【図９】
2006331654.tif 000011